(57)【特許請求の範囲】
【請求項１】
フィラーボウルに固定され、上部は同フィラーボウル内に突出して液を常時内部に流入させるための液流入口を有し、下部は小径の液導入管を一体に形成しているバルブ本体と、同バルブ本体を摺動自在に貫通し、上端に前記フィラーボウル内の液面より上方で開口する孔を有し、下部はバルブ本体の中を通って下端に液出口弁及び空気入口を有し、バルブ本体との間に介装されたばねによって常時上方に押されている空気導管と、同空気導管に気密に、かつ摺動自在に外嵌装し、前記バルブ本体の内径より小さい外径を有し、バルブ本体との間に介装したばねによって上方に押され、常時はバルブ本体の内面に設けられた弁座に気密に保持されている液入口弁と、空気導管が隙間を明けて挿通できる孔及び容器口を気密にシールするためのシール部材とを有し、上部はシール部材を介して気密、かつ摺動自在に前記バルブ本体に外嵌装し、バルブ本体との間に介装されたばねによって下方に押され、常時は上部内面に設けた段部がバルブ本体の段部と係合する定位置に下降しているセンタリングカップと、フィラーボウルの外側の固定部材に固設されたカムによってバルブ作動レバーを回動して前記空気導管を押し下げるバルブ作動手段とよりなり、空気導管の液出口弁において空気入口を液出口より下に配置することにより、前記空気導管が上限位置にあるときは液入口弁及び液出口弁は共に閉じており、空気導管が下降すると、まず空気入口が開き次に液出口弁が開き、さらに下降すると空気導管の段部によって液入口弁が開くように構成したことを特徴とする充填装置。
【請求項２】
バルブ本体の大径部の下面から入り同バルブ本体の部材の中を通って直接又はフィラーボウルの部材の通路を経由して外に出る洗浄通路を備え、センタリングカップの下面にバルブ洗浄用キャップを被せ、液入口弁および液出口弁を開とした後、洗浄液を回流する前記充填装置のバルブ洗浄機構において、空気導管をもう１段押し下げるようにバルブ作動レバーをさらに回動させる外部カムと、その回動位置で前記バルブ作動レバーをロックできるレバーの爪車の爪噛合い溝と、バルブ洗浄用キャップの底部の排出弁とを加設して、洗浄終了後、前記バルブ作動レバーの更に１段の押下げ作動により前記洗浄用キャップの排出弁を開いてバルブ下部及び洗浄用キャップ内の洗浄液を排出できるようにしたことを特徴とする請求項１記載の充填装置。
【請求項３】
請求項１または２に記載の充填装置に備えられるロック機構付バルブ開閉装置であって、フィラーボウルの外側の固定部材に固設されたカムによってバルブ作動レバーを回動して空気導管を押し下げるバルブ作動手段として、バルブ作動レバーに一体に設けられた爪車と、同爪車の爪に係合する爪レバーと、固定部材に取付けられている前記爪レバーを外すカムと、同作動レバーと結合してフィラーボウルの側壁を水平に貫通しているレバー軸と、同レバー軸のフィラーボウル内側に取付けられた作動アームとよりなるもので、前記カムによりバルブ作動レバーを回動することにより、まず空気入口開、次に液出口弁開の作動をし、前記バルブ作動レバーを所定の角度位置に回動しロックすることにより、空気入口開、液出口弁および液入口弁を開の作動をすると共に、前記爪レバーを爪外しカムによって押し外すことにより、バルブ作動レバーを始めの位置に戻し、液出口弁および液入口弁を閉、空気入口閉の動作を行うようにしたことを特徴とするロック機構付バルブ開閉装置。
【発明の詳細な説明】
【０００１】
【産業上の利用分野】
本発明は容器内に所定量の液体を充填する充填装置とロック機構付バルブ開閉装置に関するものである。
【０００２】
【従来の技術】
容器内に所定量の液体を充填する充填装置に使用される従来の充填バルブについて図４〜図７により説明する。
図４において、２０はフィラーボウルで、下方にあって壜１５を載置して回転する図示省略の円板と共に回転し、かつフィラーボウル昇降機構によって全体が上下動して前記円板との距離が調整できるようになっている。３０は前記フィラーボウル２０の底板に環状に多数が固定されていて内部が液通路となる筒形のバルブ本体の１つで、上部はフィラーボウル２０の中に突出して同部に液流入口３０ａを、その下側内面に弁座３０ｂを、更にその下側内面にばね座３０ｃを有し、下部は細くなって液体導入管３１を一体に形成している。４０は空気導管で、前記バルブ本体３０の中を貫通しており、上方はバルブ本体３０と同心に、下方は細くなって偏心して通っており、同心部に一体に形成されたばね座４０ａと前記バルブ本体３０との間に介装されたばね４３によって常時上方に押されていて、上端が後述のプッシャー７０のロッド７１の下端に当接して止まっている。また同空気導管４０の同心部の上部にはフィラーボウル２０内の空気相に開口する孔４０ｂが設けられ、前記バルブ本体３０の天板を貫通する部分は摺動自在となっており、その下部は段部分４０ｃを経てやや外径が小さくなって偏心部に続き、下端には液出口弁４１が一体に形成されている。同液出口弁４１はシール部材４２を備えていて、常時は前記液導入管３１の内面と係合して同液導入管の内外を気密に閉じている。５０は前記バルブ本体３０の内径より小さい外径を有する液入口弁で、前記空気導管４０に摺動自在に、かつシール部材５１によって気密に外嵌装されており、前記バルブ本体３０のばね座３０ｃとの間に介装されたばね５２によって上方に押され、シール部材５３を介して常時は前記バルブ本体３０の弁座３０ｂに当接して気密に液通路を閉じている。
【０００３】
６０は壜１５を案内するセンタリングカップで、中心部に前記液導入管４０の外径より大きい内径の孔６０ａと、下部内側に壜１５の口と当接するシール部材６３と、外周部に洗浄用キャップ取付用ピン６０ｂとを有し、案内筒６１に気密に装着されている。同案内筒６１はシール部材３０ｄによって前記バルブ本体３０の外周面に摺動自在に、かつ気密に外嵌装されていて、内部は空気室６１ａを形成しており、前記バルブ本体３０との間に介装されたばね６２によって常時下方に押され、上部のストッパ部がバルブ本体３０の段部に係合して止まる定位置に下降している。
６４はフィラーボウル２０内の液の排出時や循環洗浄時に用いるセンタリングカップ６０の昇降機構で、カム６５によって壜とは関係なく昇降させることができる。７０は前記空気導管４０を押し下げるためのプッシャで、図ではエアシリンダを用いた例を示してある。７１はエアシリンダのロッドで、下端を前記空気導管４０の上端に当接している。７２はシリンダの空気弁を切替えるレバーである。８０は図３に示す循環洗浄回路の一部で、８０ａはバルブ本体３０の中に、８０ｂはフィラーボウル２０の底板の中に設けられた洗浄液通路、８１は押ボタン式の開閉弁、８２は出口の継手である。
【０００４】
次に前記従来の構成について作用を説明する。
図４において図示省略の壜昇降装置により壜１５が上昇すると、壜口はセンタリングカップ６０の下端に円錐面で案内されてシール部材６３に当接して壜内部と外気を遮断し、更に壜１５が上昇すると、センタリングカップ６０はばね６２の押圧力に抗して上昇し、壜口は液体導入管３１の下端より高い位置に上昇する。この過程で空気室６１ａの容積は縮小するので、この室と連通する壜内と共に空気圧が上昇する。次いでプッシャ７０が作動してロッド７１が空気導管４０を押し下げ、液出口弁４１が液体導入管３１から下方に離れ液出口３１ａ及び空気入口４０ｄが同時に壜１５内と連通する。壜１５内の高い圧力の空気は、もし空気導管４０内に液が残っていればこの液を勢いよくフィラーボウル２０の中に吹き出す。
更に空気導管４０が下降すると、段部４０ｃが液入口弁５０に当接してこれを押し下げ液通路を開く。液導入管３１下端の液出口３１ａは既に開いているので、フィラーボウル２０内の液は重力によって液流入口３０ａから入って壜１５内に流下し、壜１５内の空気は液と入れ替わって空気入口４０ｄからフィラーボウル２０の空気相に排出される（この状態は図２を参照すればよい）。
【０００５】
壜１５内の液面が液導入管３１の下面に達すると、液は空気導管４０内に入って上昇しフィラーボウル２０内の液面に達して止まる。次いでプッシャ７０のロッド７１を上昇させると、空気導管４０がばね４３に押されて一緒に上昇し、液入口弁５０が閉じてフィラーボウル２０からの液の流入が止まる。次いで壜１５を下降させると、案内筒６１内部の空気室６１ａの容積が拡大して壜１５内の圧力が下がり、空気導管４０内の液は吸引されて壜１５内に流下する。次いで空気導管４０を更に上昇させて液出口弁４１を閉じる。また壜１５は下降を続けてセンタリングカップ６０から離れて最初の状態に戻る。
プッシャ７０はフィラーボウル２０の天板に取付けられているが、図７に示すように、フィラーボウル２０の側板に取付け、ロッド７１でばね座４０ａを上下するように構成されることもあり、それにより充填装置の高さを高くしている。次に循環洗浄時の作用を図６に基づいて説明する。先ず洗浄液通路の継手８２を、洗浄液タンク９１、洗浄液ポンプ９２を経てフィラーボウル２０に戻る液回路に予め接続しておく。センタリングカップ６０の下部に、同カップに設けてあるピン６０ｂを用いて洗浄用キャップ９５を気密に取付け、プッシャ７０を下降させて液入口弁５０及び液出口弁４１を開けば循環洗浄回路ができるので、開閉弁８１を開き洗浄液ポンプ９２を始動すればよい。
【０００６】
【発明が解決しようとする課題】
このような従来の充填バルブにおいては、プッシャ７０が作動してロッド７１が空気導管４０を押し下げ、液出口弁４１が液導入管３１から下方に離れ、液出口３１ａ及び空気入口４０ｄが同時に壜１５内と連通するとき（まだ液入口弁が開く前）、空気がバルブ本体３０と液導入管に溜まった液と入れ替わって液の中に混入して液の味を損ねたり、液充填速度を低下させる虞れがある。
またフィラーボウル２０側壁に外部カムで作動するバルブ作動プッシャを設けた場合は、作動プッシャは摩擦板による固定となるためロックに確実性がなく、また作動回数が多いこともあり、前記摩擦板にて発生した摩耗粉が壜及びその周片に落下する虞れがあり、不衛生で、耐久性も劣るものであった。
さらにバルブを洗浄するときだけのために、余分なセンタリングカップ昇降機構を備えている上に、洗浄後、センタリングカップ及び洗浄用キャップ内に溜まった洗浄液又は湯は、同キャップを手で外すときしか抜くことができないので作業がやり難いものであった。
本発明は前記従来の諸課題を解決して、衛生的で耐久性に優れ、充填時の空気混入がなく、かつバルブ洗浄が容易なロック機構付バルブ開閉装置及び充填装置を提供しようとするものである。
【０００７】
【課題を解決するための手段】
このため本発明は、フィラーボウルに固定され、上部は同フィラーボウル内に突出して液を常時内部に流入させるための液流入口を有し、下部は小径の液導入管を一体に形成しているバルブ本体と、同バルブ本体を摺動自在に貫通し、上端に前記フィラーボウル内の液面より上方で開口する孔を有し、下部はバルブ本体の中を通って下端に液出口弁及び空気入口を有し、バルブ本体との間に介装されたばねによって常時上方に押されている空気導管と、同空気導管に気密に、かつ摺動自在に外嵌装し、前記バルブ本体の内径より小さい外径を有し、バルブ本体との間に介装したばねによって上方に押され、常時はバルブ本体の内面に設けられた弁座に気密に保持されている液入口弁と、空気導管が隙間を明けて挿通できる孔及び容器口を気密にシールするためのシール部材とを有し、上部はシール部材を介して気密、かつ摺動自在に前記バルブ本体に外嵌装し、バルブ本体との間に介装されたばねによって下方に押され、常時は上部内面に設けた段部がバルブ本体の段部と係合する定位置に下降しているセンタリングカップと、フィラーボウルの外側の固定部材に固設されたカムによってバルブ作動レバーを回動して前記空気導管を押し下げるバルブ作動手段とよりなり、空気導管の液出口弁において空気入口を液出口より下に配置することにより、前記空気導管が上限位置にあるときは液入口弁及び液出口弁は共に閉じており、空気導管が下降すると、まず空気入口が開き次に液出口弁が開き、さらに下降すると空気導管の段部によって液入口弁が開くように構成してなるもので、これを課題解決のための手段とするものである。
【０００８】
また本発明は、前記フィラーボウルの外側の固定部材に固設されたカムによってバルブ作動レバーを回動して空気導管を押し下げるバルブ作動手段として、バルブ作動レバーに一体に設けられた爪車と、同爪車の爪に係合する爪レバーと、固定部材に取付けられている前記爪レバーを外すカムと、同作動レバーと結合してフィラーボウルの側壁を水平に貫通しているレバー軸と、同レバー軸のフィラーボウル内側に取付けられた作動アームとよりなるもので、前記カムにより、バルブ作動レバーを回動することにより、まず空気入口開、次に液出口弁開の作動をし、前記バルブ作動レバーを所定の角度位置に回動しロックすることにより、空気入口開、液出口弁および液入口弁の開の作動をするとともに、前記爪レバーを爪外しカムによって押し外すことにより、バルブ作動レバーを始めの位置に戻し、液出口弁および液入口弁を閉、空気入口閉の動作を行うようにしてなるもので、これを課題解決のための手段とするものである。
更に本発明は、バルブ本体の大径部の下面から入り同バルブ本体の部材の中を通って、直接又はフィラーボウルの部材の通路を経由して外に出る洗浄液通路を備え、センタリングカップの下面にバルブ洗浄用キャップを被せ、液出口弁および液入口弁を開とした後、洗浄液を回流する前記充填装置のバルブ洗浄機構において、空気導管をもう１段押し下げるようにバルブ作動レバーをさらに回動させる外部カムと、その回動位置で前記バルブ作動レバーをロックできるレバーの爪車の爪噛合い溝と、バルブ洗浄用キャップの底部の排出弁とを加設して、洗浄終了後、前記バルブ作動レバーの更に１段の押下げ作動により前記洗浄用キャップの排出弁を開いてバルブ下部及び洗浄用キャップ内の洗浄液を排出できるようにしてなるもので、これを課題解決のための手段とするものである。
【０００９】
【作用】
容器が上昇して容器口がセンタリングカップのシール部材に当接すると、容器内部及びセンタリングカップの内部は気密に閉ざされる。容器がさらに上昇すると、センタリングカップも上昇してセンタリングカップの上部空間の内部の容積は縮小し、従って連通している容器内部と共に空気圧が上昇する。ここで固定部材に固設してあるカムによりバルブ作動レバーが作動し、作動レバー軸に取付けられたアームの先端が空気導管を下方に押し下げ、空気導管の下端の液出口弁が下がり、空気入口が容器内と連通する。容器内の圧縮空気は空気導管を通って、もし空気導管に液が残っている場合は、この液と共にフィラーボウルの空気相に勢いよく排出される。
空気導管が更に下降すると、液出口が容器内と連通すると同時に、上部の液入口弁が開きフィラーボウル内の液が重力によって容器内に流下し、容器内の空気は空気導管を通ってフィラーボウルの空気相に排出される。容器内の液面が上昇してバルブ本体の下端の液出口に達すると、液は空気導管に入って上昇しフィラーボウル内の液面に達して止まる。次いで空気導管を上昇させ液入口弁、液出口弁を閉じて壜を下降させると、センタリングカップ上部空間内部の容積が拡大するので、容器内の圧力が下がり空気導管内の液は吸引されて容器内に流下する。次いで空気導管を更に上昇して空気入口を閉じ、容器は下降を続けてセンタリングカップから離れ最初の状態に戻る。
【００１０】
前記カムによりバルブ作動レバーを作動するとき、空気入口開、液出口弁および液入口弁開の位置で作動レバーの爪車と爪レバーによりバルブ作動レバーをロックすることにより、液の充填作業を続けることができる。また爪レバーを固定部材に固設してある爪レバー戻しカムによって押し外すことにより、液出口弁および液入口弁を閉、空気入口閉の動作を行うことができる。
また循環洗浄を行うときはセンタリングカップに洗浄用キャップを装着し、バルブ作動レバーを作動して空気導管を下げて液入口弁及び液出口弁を開にし、その位置でバルブ作動レバーをロックすれば循環洗浄回路が完成するので、洗浄液ポンプを回転させれば洗浄が行われる。継手は洗浄液タンク、洗浄液ポンプを経由してフィラーボウルに戻る回路と予め接続しておく。洗浄終了後、バルブ作動レバーのさらに１段の押下げ作動により洗浄用キャップの排出弁を開けば、洗浄用キャップ及びセンタリングカップ内に溜まっている洗浄液を排出できる。
【００１１】
【実施例】
以下本発明を図面の実施例について説明すると、図１〜図３は本発明の実施例を示す。
先ず図１において、２はフィラーボウルで、下方にあって壜１５を載置して回転する図示省略の円板と共に回転し、かつフィラーボウル昇降機構によって全体が上下動して前記円板の距離が調整できるようになっている。３は前記フィラーボウル２の底板に環状に多数が固定されていて内部が液通路となる筒形のバルブ本体で、上部はフィラーボウル２の中に突出して同部に液流入口３ａを、その下側内面に弁座３ｂを、更にその下側内面にばね座３ｃを有し、下部は細くなって液導入管３ｄを一体に形成している。４は空気導管で、前記バルブ本体３の中を貫通して、上方はバルブ本体３と同心に、下方は細くなって偏心して通っており、同心部に一体に形成されたばね座４ａと、前記バルブ本体３との間に介装されたばね８によって常時上方に押されていて、ばね座４ａの上側においてバルブ本体３の押さえ筒３ｆの上端の内フランジで止められている。
空気導管４の上端には、フィラーボウル２内の空気相に開口する空気出口７ａを有するキャップ７が被さり、このキャップ７に後述のバルブ作動レバー２２によって回動するアーム２９の先端が当接している。また空気導管４はバルブ本体３の天板を貫通する部分が摺動自在となっており、その下部は段部分４ｃを経てやや外径が小さくなって偏心部に続き、下端には液出口弁４ｅが一体に形成されている。同液出口弁４ｅはシール部材１３を備えていて常時は液導入管３ｄの内面と係合して同液導入管３ｄの内外を気密に閉じている。
【００１２】
５はバルブ本体３の内径より小さい外径を有する液入口弁で、空気導管４に摺動自在に、かつシール部材１２によって気密に外嵌装されており、前記バルブ本体３のばね座３ｃとの間に介装されたばね９によって上方に押され、シール部材１１を介して常時はバルブ本体３の弁座３ｂに当接して気密に液通路を閉じている。６は壜１５を案内するセンタリングカップで、中心部に前記液導入管３ｄの外径より大きい内径の孔部６ａと、下部内側に壜１５の口と当接するシール部材１４と、外周部に洗浄用キャップ取付用ピン６ｂとを有し、上部は案内筒を形成し、同案内筒はシール部材１６によって前記バルブ本体３の外周面に摺動自在に、かつ気密に外嵌装されていて、内部は空気室６ｃを形成しており、前記バルブ本体３との間に介装されたばね１０によって常時下方に押され、上部のストッパ部がバルブ本体３の段部に係合して止まる定位置に下降している。バルブ作動手段の構成は、バルブ作動レバー２２と、これに一体に設けられた爪車２２ａと、同爪車２２ａの爪２２ｃに係合する爪レバー２６と、固定部材に取付けられている作動レバー２２を作動するカム３２及び爪レバー２６を外すカム３５と、同作動レバー２２と係合し、フィラーボウル２の側壁に取付けられたレバー軸受２１によって水平に回転自在に支えられたレバー軸２３と、同レバー軸２３のフィラーボウル内側に取付けられた作動アーム２９とよりなる。２４は作動レバー２２をカム３２に係合する方向に付勢されている捩りばねである。２５はストッパで、捩りばね２４により作動レバー２２が回り過ぎないように止まるために設けてある。
【００１３】
３ｇ、２ｂは図３に示す循環洗浄回路の一部で、３ｇはバルブ本体３の中に、２ｂはフィラーボウル２の底板の中に設けられた洗浄液通路、１７は押ボタン式の開閉弁、１８は出口の継手、３８，３９は外部の洗浄液配管、３６は洗浄液タンク、３７は洗浄液ポンプである。図３は洗浄用キャップ４５がＬ字形孔４５ｂとピン６ｂによってセンタリングカップ６の下面に装着され、シール部材４７により気密に装着された状態を示している。洗浄用キャップ４５の円筒孔４５ａに摺動自在に排出弁４６が挿通され、常時はばね４９とシール部材４８により洗浄用キャップ４５との間に気密を保つようにされている。
【００１４】
次に以上の如く構成された実施例について作用を説明する。
図２において、（ア）の状態から図示省略の壜昇降装置により、（イ）に示されたように壜１５が上昇すると、壜口はセンタリングカップ６の下端の円錐面で案内され、シール部材１４に当接して壜内部と外気を遮断し、更に壜１５が上昇すると、センタリングカップ６はばね１０の押圧力に抗して上昇し、壜口は液導入管３ｄの下端より高い位置に上昇する。この過程で空気室６ｃの容積は縮小するので、この室６ｃと連通する壜内と共に空気圧が上昇する。次いでカム３２によりバルブ作動レバー２２が回転し、アーム２９が空気導管４を押し下げると、液出口弁４ｅが液体導入管３ｄから下方に離れ、空気入口４ｄが壜内と連通する。壜１５内の高い圧力の空気は、もし空気導管４内に液が残っていれば、この液を勢いよくフィラーボウル２の空気相の中に吹き出す。この状態では液出口弁４ｅと液体導入管３ｄとは気密になっていないが、液出口３ｅがまだ開いていないで隙間が狭いため、液は表面張力で滴下せずに保持されている。
【００１５】
更に図２（ウ）に示したように、バルブ作動レバー２２がさらに回転し、アーム２９がキャップ７を押して空気導管４が下降すると、段部４ｃが液入口弁５に当接し、これを押しさげて液通路を開く。この状態で爪車２２ａは爪レバー２６によりロックされる。液導入管３ｄ下端の液出口３ｅも十分に開いているので、フィラーボウル２内の液は重力によって液流入口３ａから入って壜１５内に流下し、壜１５内の空気は液と入れ替わって空気入口４ｄからフィラーボウル２の空気相に排出される。壜１５内の液面が液導入管３の下面に達すると液は空気導管４内に入って上昇し、フィラーボウル２内の液面に達して止まる。
次いで爪レバー２６を爪外しカム３５によって押し外す（２点鎖線で示したように）ことにより、バルブ作動レバー２２のロックが外され、空気導管４がばね８に押されて上昇し、液入口弁５、液出口弁４ｅが閉じて、フィラーボウル２からの液の流入が止まる。次いで壜１５を下降させると、センタリングカップ６上部の案内筒内部の空気室６ｃの容積が拡大して壜１５内の圧力が下がり、空気導管４内の液が吸引されて壜１５内に流下する。次いで空気導管４を更に上昇させて液出口弁４ｅ、空気入口４ｄを閉じる。壜１５は下降を続けてセンタリングカップ６から離れて最初の状態に戻る。
【００１６】
次に循環洗浄時の作用を図３により説明する。循環洗浄を行うときはセンタリングカップ６の下部に同カップに設けてあるピン６ｂを用いて洗浄用キャップ４５を気密に取付け、バルブ作動レバー２２を作動して空気導管４を下げて液入口弁５及び液出口弁４ｅを開にし、その位置でバルブ作動レバー２２をロックすれば循環洗浄回路が完成するので、洗浄液ポンプ３７を回転させればバルブの循環洗浄が行われる。継手１８は洗浄液タンク３６、洗浄液ポンプ３７を経由してフィラーボウル２に戻る回路と予め接続しておく。また洗浄終了後、バルブ作動レバー２２のさらに１段の押下げ作動により洗浄用キャップ４５の排出弁４６を押して明ければ、洗浄用キャップ４５及びセンタリングカップ６内に溜まっている洗浄液を排出できる。
また壜１５の容器がＰＥＴボトル等の内圧により形状が変化し易い弱体容器の場合は、後述の如き洗浄液通路開閉弁を応用することにより弱体容器使用に耐える充填が出来る。
【００１７】
またセンタリングカップ６の上昇に伴い空気室６ｃの内圧が上昇して壜１５が変形するのを防ぐ為に、洗浄液通路開閉弁１７を開き、壜１５の上昇完了後のバルブ作動レバー２２により空気導管４を下降させて空気入口４ｄのみを開き、自由落下で空気導管４の内部の残液を落下する迄の一定時間後、洗浄液通路開閉弁１７を閉にさせる。その後さらにバルブ作動レバー２２により空気導管４を下降させると、液出口３ｅが開き液が充填される。
充填完了後バルブ作動レバー２２により空気導管４を上昇させて空気入口４ｄ、及び液出口３ｅを閉にさせた後、洗浄液通路開閉弁１７を開く事により充填時に発生した壜１５内の微圧は大気開放となり、かつ壜１５が下降して空気室６ｃが負圧になるのを防ぐことにより弱体容器の変形、液の飛び出し、首つり等が防止出来る。
【００１８】
【発明の効果】
以上詳細に説明した如く本発明の充填装置によれば、バルブを作動する手段として外部カムと、これによって回動する作動レバーと、同作動レバーと連動するアームにより空気導管を押し下げるとき、液出口弁が液体導入管から下方に離れても暫時は液出口弁が開かず、空気入口のみが開いて容器と連通し、容器内部圧力が下がった後に液出口弁と液入口弁が開いて、液の充填を開始するので、空気が液導入管に溜まった液の中に混入することなく、液の味を損ねたり、液充填速度を低下させたりすることは無い。
また本発明のバルブ作動手段においては、外部カムによりバルブ作動レバーを作動するとき、空気導管開、液出口弁開の位置で作動レバーの爪車と爪レバーによりバルブ作動レバーをロックすることにより、液の充填作業を続ける事ができるので、摩擦力に依存する部分が無く、また液充填後の空気入口閉、液出口弁および液入口弁閉の動作も、爪レバーを外部に爪外しカムによって押し外せばよく、各動作を確実に行うことができる。特に摩擦板による摩耗粉が出ることなく、従って壜及びその周辺を汚す虞れはなく、衛生的であり耐久性も良好である。
更にバルブを洗浄するときだけのために、余分なセンタリングカップ昇降機構を備える必要はないし、洗浄後、センタリングカップ及び洗浄用キャップ内に溜まった洗浄液、又は湯は同キャップに手をかけることなく、外部カムと作動レバーによる空気導管の更なる一押しで、洗浄用キャップの排出弁を開いて抜くことができるので作業が容易である。
【図面の簡単な説明】
【図１】本発明の実施例に係る充填装置の縦断面図である。
【図２】図１の充填装置の作動説明図である。
【図３】図１の充填装置の循環洗浄時を示す縦断面図である。
【図４】従来の充填装置を示す縦断面図である。
【図５】従来の充填装置による液充填中を示す縦断面図である。
【図６】従来の充填装置の循環洗浄時を示す縦断面図である。
【図７】従来の充填装置のプッシャ部詳細断面図である。
【符号の説明】
２  フィラーボウル
３  バルブ本体
３ａ  液流入口
３ｂ  弁座
３ｃ  ばね座
３ｄ  液導入管
３ｅ  液出口
４  空気導管
４ａ  ばね座
４ｃ  段部
４ｄ  空気入口
４ｅ  液出口弁
５  液入口弁
６  センタリングカップ
６ａ  孔部
６ｃ  空気室
８，９，１０  ばね
１１，１２，１３，１４，１６  シール部材
１５  壜
２２  バルブ作動レバー
２２ａ  爪車
２３  レバー軸
２６  爪レバー
３２  カム
３５  爪レバー戻しカム
４５  洗浄用キャップ
４６  排出弁
【図１】
0003540365.tif 000002
【図２】
0003540365.tif 000003
【図３】
0003540365.tif 000004
【図４】
0003540365.tif 000005
【図５】
0003540365.tif 000006
【図６】
0003540365.tif 000007
【図７】
0003540365.tif 000008